(57)【特許請求の範囲】
【請求項１】
被取付け面に取着される取付け基台と軒樋を支持する軒樋支持部とからなり、上記取付け基台に開口して凹設された収容凹部には上記軒樋支持部のベース部が上下移動可能に収容されるとともに、軒樋支持高さを調節した後、上記ベース部を取付け基台に固着するものであり、上記軒樋支持部のベース部を受ける収容凹部の左右内側面にはスリット部が設けられ、上記軒樋支持部のベース部が上記スリット部に上下にスライド移動可能に位置決めされる軒樋の支持構造であって、上記収容凹部の開口部の両側には長孔が設けられ、上記ベース部の左右部には挿通孔が設けられており、上記取付け基台が上記被取付け面に取着された後に上記軒樋支持部を上下にスライド移動させて所望の高さとなるように位置調整を行って位置決めし、上記挿通孔に上記長孔を挿通する固着手段を螺入することで、上記軒樋支持部が上記取付け基台に固着されるようになしたことを特徴とする軒樋の支持構造。
【発明の詳細な説明】
【技術分野】
【０００１】
本願発明は、軒樋支持具に係り、さらに詳しくは、建物の軒先に設けられる鼻隠し板等の被取着面に取り付けられ、軒樋を吊り下げて支持する軒樋の支持構造に関するものである。
【背景技術】
【０００２】
従来、住宅の軒先に軒樋を取り付ける場合、通常、軒先の鼻隠し板などに吊金具を用いて施工することが行われている。この吊金具は屋根の先端との位置関係で、軒先の定まった位置に固定しなければならないが、特に上下の位置関係は雨水の流れにも影響するため注意が必要となる。この上下方向の位置は、従来、水糸を張って水平レベルを取った後、水勾配を出して取り付けられていた。しかし、このような吊金具の位置決め作業は手間もかかり、熟練を有するものであるため、その作業は専ら、樋工事専門の施工業者によって行われてきた。
【０００３】
そこで、上記課題を解決するために、例えば、下記特許文献１には、軒樋の耳部を係合固着する略Ｌ字状の係合金具と、鼻隠し板などに固定する固着金具より構成される吊金具において、鼻隠し板と当接する略垂直に折曲された係合金具と固着金具とが摺動自在に移動してなる軒樋吊金具が提案されている。
【０００４】
すなわち、下記特許文献１に記載の軒樋吊金具は、略垂直に折曲され、略Ｌ字状の係合金具と固着金具とが摺動自在とされ、上記係合金具の上下方向の位置決め作業がきわめて簡易で、また施工も確実なものとなり、施工の迅速化と安全性が保てると記載されている。
【０００５】
そして、勾配の異なった屋根の軒先に吊金具を施工するに際し、その軒先の位置の変化に直ちに対応して、その固着金具の上下方向の位置を移動させて対応できるものであり、定まった位置に容易に施工できるため、雨水の流れもスムースであり、滞留して腐食する恐れもなく、また、仕上がりの外観が良好で、軒先との一体感が得られ、意匠的にもきわめて優れたものとなる等の効果が述べられている。
【特許文献１】特開２００１−１２３６０６号公報（第１〜３頁、第１図、第２図、第３図）
【発明の開示】
【発明が解決しようとする課題】
【０００６】
しかしながら、上記従来例である特許文献１に記載の軒樋吊金具にあっては構造が簡単で、係合金具と固着金具とが摺動自在とされているため、上下方向の位置決め作業がきわめて容易に行える等の効果があるが、係合金具と固着金具とがリベットのみでカシメ結合されているため、強風等の外力に対して構造的に弱いという問題がある。また、経年劣化によってリベットの保持力も低下するという問題もある。本願発明は、上記背景技術に鑑みてなしたものであり、その目的は、軒先の鼻隠し板などの被取着面に、簡単な構造で、容易に水勾配を出して軒樋を取り付けることのできる軒樋の支持構造を提供することである。
【課題を解決するための手段】
【０００７】
上記課題を解決するために、本願請求項１記載の発明に係る軒樋の支持構造は、被取付け面に取着される取付け基台と軒樋を支持する軒樋支持部とからなり、上記取付け基台に開口して凹設された収容凹部には上記軒樋支持部のベース部が上下移動可能に収容されるとともに、軒樋支持高さを調節した後、上記ベース部を取付け基台に固着するものであり、上記軒樋支持部のベース部を受ける収容凹部の左右内側面にはスリット部が設けられ、上記軒樋支持部のベース部が上記スリット部に上下にスライド移動可能に位置決めされる軒樋の支持構造であって、上記収容凹部の開口部の両側には長孔が設けられ、上記ベース部の左右部には挿通孔が設けられており、上記取付け基台が上記被取付け面に取着された後に上記軒樋支持部を上下にスライド移動させて所望の高さとなるように位置調整を行って位置決めし、上記挿通孔に上記長孔を挿通する固着手段を螺入することで、上記軒樋支持部が上記取付け基台に固着されるようになしたことを特徴としている。
【０００８】
上記取付け基台と軒樋支持部を構成する樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。通常、上記取付け基台と軒樋支持部とはそれぞれ、上記樹脂から一体的に成形して得られる。
【発明の効果】
【００１２】
本願請求項１に記載の発明に係る軒樋の支持構造は上記のとおりであり、取付け基台と軒樋を支持する軒樋支持部とからなり、上記取付け基台に開口して凹設された収容凹部には上記軒樋支持部のベース部を上下移動可能に収容することができるため、複数の軒樋支持部を簡単に水勾配を出して設けることが可能となる。そして、従来、熟練を要した軒樋支持部の位置決め作業をきわめて容易に行うことができるため、軒樋の新規施工のみならず、交換等のリフォーム工事を樋工事専門業者の手に依らず簡単に行うことができる。
【００１３】
また、軒樋支持高さを調節した後、上記ベース部を取付け基台の背板部に、例えば、タッピングビス等の固着手段によって螺着することができるため、外れることなく、しっかりと確実に、軒樋支持部を取付け基台に固着することができる。そして、上記水勾配を出して鼻隠し板等の駆体に固定された本願発明の軒樋の支持構造によって吊り下げ支持された軒樋にも、当然水勾配が設けられているため、雨水の流れに影響することはなく、スムースに軒樋内を流れ、集水器等を経て外部に排水することができる。
【００１４】
また、上記軒樋支持部のベース部を受ける収容凹部の左右内側面にはスリット部が設けられ、上記軒樋支持部のベース部が上記スリット部に上下にスライド移動可能に位置決めされるため、軒樋支持部のベース部を上下に微妙にスライドさせることにより、長いスパンで施工される軒樋の緩やかな水勾配を容易に設けることができる。
【発明を実施するための最良の形態】
【００１７】
以下、本願発明の第１実施形態に係る軒樋の支持構造について図面を参照して詳細に説明する。図１は、鼻隠し板等の被取付け面に取着される取付け基台１と図外軒樋を支持する軒樋支持部２とからなる第１実施形態に係る軒樋の支持構造Ａを示す分解斜視図である。図２は、上記軒樋支持部２を取付け基台１に組み付ける状態を示す説明図である。
【００１８】
図１、図２に示すように、上記取付け基台１には背板部１２を背面として収容凹部１１が開口して設けられ、収容凹部１１の左右内側面にはスリット部１１１が設けられている。収容凹部１１の開口部の両側には長孔３が設けられ、後記するように、この長孔３を挿通する固着手段としてのタッピングビス５等によって取付け基台１と軒樋支持部２とは固着される。さらに取付け基台１の四隅には、取付け基台１を鼻隠し板等の被取付け面にビス固定するためのビス孔１３が設けられている。
【００１９】
一方、上記軒樋支持部２は、ベース部２１と軒樋吊り下げ部２２とからなり、ベース部２１の左右側面は上記スリット部１１１に嵌挿されるスライド片２１１とされている。また、上記ベース部２１の左右部には上記タッピングビス５が挿通する挿通孔４が設けられている。上記左右のスライド片２１１は上記スリット部１１１にスライド自在に受けられ、このようにすることによって、軒樋支持部２を取付け基台１に上下にスライド移動自在に組み付けることができる。
【００２０】
通常、軒樋は雨水がスムースに流れるように水勾配をつけて駆体に取り付けられる。本実施形態においては、鼻隠し板等の被取付け面に水平に固定された取付け基台１に複数の軒樋支持部２を図外軒樋の施工高さに合わせて調節、固着することによって水勾配が設けられる。
【００２１】
第１実施形態にかかる軒樋の支持構造Ａにおいては、予め水糸を張って水平を出して固定された取付け基台１に、上記したように複数の軒樋支持部２を上下にスライド移動して所定の水勾配となるように位置調節を行い、その後、固着手段であるタッピングビス５を挿通孔４に螺入して固着する。
【００２２】
すなわち、図２に示すように、まず、取付け基台１に穿たれたビス孔１３に固定用ビス６を挿通し、取付け基台１を図外駆体に螺入して４個所でビス固定する。ついで、軒樋支持部２を上下にスライド移動して所定の水勾配となるように位置調節を行い、所定の位置で上記軒樋支持部２の挿通孔４に長孔３を挿通するタッピングビス５を螺入する。このようにすることによって、軒樋支持部２をしっかりと取付け基台１に固着することができる。
【００２３】
この場合、挿通孔４を螺合貫通したタッピングビス５を背板部１２に螺入してもよい。
また、挿通孔４の内面を螺設して雌ねじとしタッピングビス５を通常の雄ねじとし両者を螺合することにより軒樋支持部２を取付け基台１に固着してもよい。また、軒樋支持部２の上下方向の位置調節を行いやすくするため、長孔３に目盛を形成してもよい。更に、長孔３に代えて複数個の孔（図示せず）を一定間隔で上下方向に設けてもよい。また、軒樋支持部２の上下方向操作を容易にするために、ベース部２１のスライド片２１１とスリット部１１１との間にバネ等の弾性体（図示せず）を介在させ上下方向の摩擦抵抗を大きくしてもよい。
【００２４】
つぎに、本願発明の軒樋の支持構造Ａを施工する方法について説明する。図３（ａ）、図３（ｂ）は、上記軒樋の支持構造Ａを水勾配を出して鼻隠し板９に取り付ける方法を模式的に示す説明図である。図３（ａ）に示すように、まず、被取付け面としての鼻隠し板９に水糸Ｍを張って水平レベルを出し、水糸Ｍに沿って取付け基台１を固定用ビス６によって鼻隠し板９に水平に固定する。
【００２５】
ついで、所望の水勾配となるように、軒樋支持部２をベース部２１の左右側面をスライド片２１１として上記したスリット部１１１に嵌挿し、高さ調節を行う。図３（ｂ）においては、順次右下がりに水勾配を付けて軒樋支持部２を取付け基台１に固着した状態を示す。図３（ｂ）に示されているように、鼻隠し板９に水平に固定された取付け基台１に軒樋支持部２を上下にスライドさせて所望の高さとなるように位置調節し、タッピングビス５を螺入する。タッピングビス５で取付け基台１に固着された軒樋支持部２は水勾配を出して設けられ、軒樋吊り下げ部２２によって吊り下げ支持される図外軒樋も水勾配が設けられているため、雨水をスムースに流すことができる。
【００２６】
図４は、本願発明の第２実施形態に係る軒樋の支持構造Ｂの要部を示す部分分解斜視図である。図４に示されるように、本実施形態においては、上記軒樋支持部２のベース部２１を受ける収容凹部１１の左右内側面には凹凸鋸歯状の係止部７１が設けられている。また、軒樋支持部２のベース部２１の左右側面には上記係止部７１に噛み合う係合片７２が列設され、上記ベース部２１が上記収容凹部１１に上下に段階的に移動できるように受けられている。
【００２７】
第２実施形態の軒樋の支持構造Ｂの施工方法は第１実施形態と同様であり、まず、取付け基台１に穿たれたビス孔１３に固定用ビス６を挿通し、取付け基台１を図外駆体に螺入してビス固定する。ついで、ベース部２１の左右側面に設けられた係止片７２を凹凸鋸歯状の係止部７１に、図外軒樋を所望の高さで支持するよう、段階的に位置調節し仮固定する。そして、挿通孔４を挿通するタッピングビス５で取付け基台１の背板部１２に螺入し、軒樋支持部２を取付け基台１にしっかりと固着させる。
【００２８】
図５は、本願発明の第３実施形態に係る軒樋の支持構造Ｃの要部を示す部分分解斜視図である。図５に示されるように、本実施形態においては、上記軒樋支持部２のベース部２１を受ける収容凹部１１の左右内側面には係止用突起部８１が相対向して突設されている。また、上記軒樋支持部２のベース部２１の左右側面には上記係止用突起部８１に噛み合う係合用凹部８２が列設され、上記ベース部２１が上記収容凹部１１に上下方向に段階的に移動できるように位置決めされる。
【００２９】
第３実施形態の軒樋の支持構造Ｃの施工方法も第１実施形態と同様であり、まず、取付け基台１に穿たれたビス孔１３に固定用ビス６を挿通し、取付け基台１を図外駆体に螺入してビス固定する。ついで、ベース部２１の左右側面に設けられた係合用凹部８２を係止用突起部８１に、図外軒樋を所望の高さで支持できるよう、段階的に位置調節し仮固定する。そして、ベース部２１の略中央部の上下部に設けられた挿通孔４を挿通するタッピングビス５で取付け基台１の背板部１２に螺入し、軒樋支持部２を取付け基台１にしっかりと固着させる。
【００３０】
本願発明の第２実施形態に係る軒樋の支持構造Ｂ、あるいは、本願発明の第３実施形態に係る軒樋の支持構造Ｃを用いることにより、第１実施形態と同様に、図外軒樋を水勾配を設けて軒樋吊り下げ部２２で吊り下げ支持することが可能となり、軒樋内を水勾配に沿って流れた雨水は、集水器等を経て縦樋等の排水部に排出される。また、本願発明の軒樋の支持構造を用いることにより、従来、熟練を要し、樋工事専門の施工業者によって行われてきた軒樋支持具の位置決め作業を容易に行えるため、軒樋の新規施工のみならず、交換等のリフォームを専門業者の手に依らず簡単に行うことができる。
【図面の簡単な説明】
【００３１】
【図１】本願発明の第１実施形態に係る軒樋の支持構造を示す分解斜視図。
【図２】上記第１実施形態に係る軒樋支持部を取付け基台に組み付ける状態を示す説明図。
【図３】（ａ）水糸に沿って上記第１実施形態に係る取付け基台を固定用ビスによって鼻隠し板に水平に固定する状態を模式的に示す説明図。
【００３２】
（ｂ）順次右下がりに水勾配を付けて上記第１実施形態に係る軒樋支持部を取付け基台に固着した状態を模式的に示す説明図。
【図４】本願発明の第２実施形態に係る軒樋の支持構造の要部を示す部分分解斜視図。
【図５】本願発明の第３実施形態に係る軒樋の支持構造の要部を示す部分分解斜視図。
【符号の説明】
【００３３】
Ａ      本願発明の第１実施形態に係る軒樋の支持構造
Ｂ      本願発明の第２実施形態に係る軒樋の支持構造
Ｃ      本願発明の第３実施形態に係る軒樋の支持構造
Ｍ      水糸
１      取付け基台
１１    収容凹部
１１１  スリット部
１２    背板部
１３    ビス孔
２      軒樋支持部
２１    ベース部
２１１  スライド片
２２    軒樋吊り下げ部
３      長孔
４      挿通孔
５      タッピングビス
６      固定用ビス
７１    係止部
７２    係合片
８１    係止用突起部
８２    係合用凹部
９      鼻隠し板
【図１】
0005050800.tif 000002
【図２】
0005050800.tif 000003
【図３】
0005050800.tif 000004
【図４】
0005050800.tif 000005
【図５】
0005050800.tif 000006